(57)【要約】【課題】  本発明は、使い勝手を格段と向上し得る再生装置及び再生方法を実現しようとするものである。【解決手段】  複数のディスク状記録媒体のうち選択されたディスク状記録媒体を再生手段を用いて再生するディスク再生装置において、複数のディスク状記録媒体をそれぞれ一面が露出するように所定の配列状態で収納する収納手段と、各ディスク状記録媒体の収納位置にそれぞれ設けられ、外部からの指示に応じて対応するディスク状記録媒体が選択されたことを検知するセンサ手段とを設け、再生手段は、センサ手段の検知結果に基づいて、対応する収納位置に収納されているディスク状記録媒体を再生するようにした。【選択図】        図４
2005182865.tif 000002
【特許請求の範囲】
【請求項１】
複数のディスク状記録媒体のうち選択された上記ディスク状記録媒体を再生手段を用いて再生するディスク再生装置において、
上記複数のディスク状記録媒体をそれぞれ一面が露出するように所定の配列状態で収納する収納手段と、
各上記ディスク状記録媒体の収納位置にそれぞれ設けられ、外部からの指示に応じて対応する上記ディスク状記録媒体が選択されたことを検知するセンサ手段と
を具え、
上記再生手段は、
上記センサ手段の検知結果に基づいて、対応する上記収納位置に収納されている上記ディスク状記録媒体を再生する
ことを特徴とする再生装置。
【請求項２】
上記センサの検知結果に基づいて、上記再生手段を対応する上記収納位置に移動させる移動手段
を具えることを特徴とする請求項１に記載の再生装置。
【請求項３】
上記センサ手段の検知結果を順次記憶する記憶手段と、
上記記憶手段から読み出した上記検知結果に基づいて、所定期間内において選択された頻度が最も高い上記ディスク状記録媒体を検出する頻度検出手段と
を具え、
上記移動手段は、
上記再生手段による再生が終了した後、当該再生手段を上記頻度検出手段により検出された上記ディスク状記録媒体の収納位置に移動させる
ことを特徴とする請求項２に記載の再生装置。
【請求項４】
複数のディスク状記録媒体のうち選択された上記ディスク状記録媒体を再生するディスク再生方法において、
上記複数のディスク状記録媒体をそれぞれ一面が露出するように所定の配列状態で収納しておき、
各上記ディスク状記録媒体の収納位置において、外部からの指示に応じて対応する上記ディスク状記録媒体が選択されたことを検知する第１のステップと、
上記検知結果に基づいて、対応する上記収納位置に収納されている上記ディスク状記録媒体を再生する第２のステップと
を具えることを特徴とする再生方法。
【請求項５】
上記検知結果に基づいて、上記ディスク状記録媒体を再生する再生位置を対応する上記収納位置に移動させる第３のステップ
を具えることを特徴とする請求項４に記載の再生方法。
【請求項６】
上記第３のステップでは、
順次記憶しておいて上記検知結果に基づいて、所定期間内において選択された頻度が最も高い上記ディスク状記録媒体を検出しておき、上記再生が終了した後、上記再生位置を上記検出されたディスク状記録媒体の収納位置に移動させる
ことを特徴とする請求項５に記載の再生方法。
【発明の詳細な説明】
【技術分野】
【０００１】
本発明は再生装置及び再生方法に関し、例えば収納された複数のＣＤ（Compact Disc）やＤＶＤ（Digital Versatile Disc）等の光ディスクの中から指定された光ディスクを再生するようになされた車載用のオートチェンジャに適用して好適なものである。
【背景技術】
【０００２】
従来、この種の車載用のオートチェンジャでは、複数の光ディスクを収納トレイ内に積層して収納しておき、ユーザにより指定された光ディスクを所定の再生位置に位置決めした後、光学ピックアップを用いて当該光ディスクから記録されている種々の音楽データ等を再生するようになされたものがある（例えば、特許文献１参照。）。
【０００３】
近年、家庭用のオートチェンジャとして、複数の光ディスクを積層することなく、平面上に所定配列（例えば１列）に並べるようにして、ユーザが各光ディスクのレーベル面を目視確認しながら、所望の光ディスクを選択し得るようになされたものが提案され実現されている（例えば、非特許文献１参照。）。
【特許文献１】特開２００３−１５７６０７公報（第２図）
【非特許文献１】バング＆オルフセン「テクノロジー＆デザインの融合」P.44-45
【発明の開示】
【発明が解決しようとする課題】
【０００４】
ところで、上述の特許文献１のような複数の光ディスクが積層収納された車載用のオートチェンジャにおいては、ユーザが所望の光ディスクを選択する場合、当該光ディスクが全体の中のどの位置に収納されているのかを認識する必要があると共に、それ以前に、これら複数の光ディスクがそれぞれ何のレーベルであるのかを認識しておく必要がある。
【０００５】
このためユーザは、チェンジャ本体部又はリモートコントローラに設けられた操作パネルを用いて、収納対象となる全ての光ディスクについて一度再生させておいて記録内容を確かめておくか、又は全ての光ディスクについてレーベルに関する情報をチェンジャ本体部内に設けられたメモリに予め記憶させておかなければならず、そのために要する作業が非常に煩雑となる問題があった。
【０００６】
一方、上述の非特許文献１のような複数の光ディスクが平面上に配列して装填されたオートチェンジャでは、どの場所に所望のレーベルに対応する光ディスクが配置されているのかを目視確認することは容易ではあるものの、実際にユーザが所望の光ディスクを選択する場合には、当該光ディスクの収納位置に割り当てられている収納番号を目視確認してから、操作パネルに設けられた複数の操作ボタンのうち、当該収納番号に対応する操作ボタンを認識して実際に押下しなければならない煩雑さがあった。
【０００７】
かかる煩雑さの問題を解決すべく、複数の操作ボタンに代えて、操作パネルに十字ボタン等を設けるようにして、ユーザが所望する方向に十字ボタンを操作しながら所望方向に順番に指定していくようにする方法も考えられる。しかし、収納されている光ディスクの数が非常に多い場合には、現在指定している光ディスクから所望の光ディスクに到達するまでに非常に時間がかかるという問題があった。
【０００８】
このような複数の光ディスクを収納するオートチェンジャを操作するユーザにとっては、操作パネルを用いて所望の光ディスクと対応する操作ボタンとの目視確認を行うことなく、できるだけ直感的に所望の光ディスクを知覚することができれば、操作性を格段と向上することができ、非常に好ましいと思われる。
【０００９】
本発明は以上の点を考慮してなされたもので、使い勝手を格段と向上し得る再生装置及び再生方法を提案しようとするものである。
【課題を解決するための手段】
【００１０】
かかる課題を解決するため本発明においては、複数のディスク状記録媒体のうち選択されたディスク状記録媒体を再生手段を用いて再生するディスク再生装置において、複数のディスク状記録媒体をそれぞれ一面が露出するように所定の配列状態で収納する収納手段と、各ディスク状記録媒体の収納位置にそれぞれ設けられ、外部からの指示に応じて対応するディスク状記録媒体が選択されたことを検知するセンサ手段とを設け、再生手段は、センサ手段の検知結果に基づいて、対応する収納位置に収納されているディスク状記録媒体を再生するようにした。
【００１１】
この結果この再生装置では、ユーザがディスク状記録媒体の一面を目視するだけで直感的に所望のディスク状記録媒体を見当することができると共に、当該ディスク状記録媒体を指示する指示するだけで再生させることができる。
【００１２】
また本発明においては、複数のディスク状記録媒体のうち選択されたディスク状記録媒体を再生するディスク再生方法において、複数のディスク状記録媒体をそれぞれ一面が露出するように所定の配列状態で収納しておき、各ディスク状記録媒体の収納位置において、外部からの指示に応じて対応するディスク状記録媒体が選択されたことを検知した後、当該検知結果に基づいて、対応する収納位置に収納されているディスク状記録媒体を再生するようにした。
【００１３】
この結果この再生方法では、ユーザがディスク状記録媒体の一面を目視するだけで直感的に所望のディスク状記録媒体を見当することができると共に、当該ディスク状記録媒体を指示する指示するだけで再生させることができる。
【発明の効果】
【００１４】
上述のように本発明によれば、複数のディスク状記録媒体のうち選択されたディスク状記録媒体を再生手段を用いて再生するディスク再生装置において、複数のディスク状記録媒体をそれぞれ一面が露出するように所定の配列状態で収納する収納手段と、各ディスク状記録媒体の収納位置にそれぞれ設けられ、外部からの指示に応じて対応するディスク状記録媒体が選択されたことを検知するセンサ手段とを設け、再生手段は、センサ手段の検知結果に基づいて、対応する収納位置に収納されているディスク状記録媒体を再生するようにしたことにより、ユーザがディスク状記録媒体の一面を目視するだけで直感的に所望のディスク状記録媒体を見当することができると共に、当該ディスク状記録媒体を指示する指示するだけで再生させることができ、かくして使い勝手を格段と向上し得る再生装置を実現できる。
【００１５】
また本発明よれば、複数のディスク状記録媒体のうち選択されたディスク状記録媒体を再生するディスク再生方法において、複数のディスク状記録媒体をそれぞれ一面が露出するように所定の配列状態で収納しておき、各ディスク状記録媒体の収納位置において、外部からの指示に応じて対応するディスク状記録媒体が選択されたことを検知した後、当該検知結果に基づいて、対応する収納位置に収納されているディスク状記録媒体を再生するようにしたことにより、ユーザがディスク状記録媒体の一面を目視するだけで直感的に所望のディスク状記録媒体を見当することができると共に、当該ディスク状記録媒体を指示する指示するだけで再生させることができ、かくして使い勝手を格段と向上し得る再生方法を実現できる。
【発明を実施するための最良の形態】
【００１６】
以下図面について、本発明の一実施の形態を詳述する。
【００１７】
（１）本実施の形態による光ディスク再生装置の構成
（１−１）光ディスク再生装置の外観構成
図１（Ａ）及び（Ｂ）において、１は全体として本実施の形態による光ディスク再生装置を示し、長板形状の筐体２の表面上に、複数の光ディスクＤＣ１〜ＤＣｎ（ｎは２以上の自然数）を一列で収納保持するための収納保持部３が設けられており、当該収納保持部３の一端側の所定位置（以下、これを待機位置と呼ぶ）には、各光ディスクＤＣ１〜ＤＣｎを再生するための光学ブロック部４が矢印ａ方向又はこれと逆方向にレールＲＬ上をスライド移動し得るように取り付けられている。
【００１８】
この光学ブロック部４は、光ディスクＤＣ１（ＤＣ２〜ＤＣｎ）の中央穴を回転中心として回転自在に保持するための保持機構が形成され、光ディスクＤＣ１（ＤＣ２〜ＤＣｎ）を回転させるためのスピンドルモータ５と、光ディスクＤＣ１（ＤＣ２〜ＤＣｎ）にレーザ光を照射してその反射光を受光する光学ピックアップ６と、当該光学ピックアップ６を光ディスクＤＣ１（ＤＣ２〜ＤＣｎ）の径方向に移動させるためのステッピングモータ７とが設けられている。
【００１９】
この光ディスク再生装置１において、収納保持部３には、各光ディスクＤＣ１〜ＤＣｎをレーベル面が露出するように装脱自在に保持するための保持トレイ８１〜８ｎが一定間隔で順次形成されると共に、各保持トレイ８１〜８ｎの近傍にはそれぞれタッチセンサ９１〜９ｎ及びＬＥＤ（Light Emitting Diode）からなるパイロットランプ１０１〜１０ｎが設けられている。
【００２０】
また筐体２の表面には、当該表面とほぼ同一平面でなるガラス板（図示せず）が収納保持部３及び光学ブロック部４を覆うように開閉自在に取り付けられており、必要に応じてユーザが各保持トレイ８１〜８ｎに対して所望の光ディスクＤＣ１（ＤＣ２〜ＤＣｎ）を装脱し得るようになされている。
【００２１】
かかる光ディスク再生装置１では、ユーザが所望の光ディスクＤＣ１（ＤＣ２〜ＤＣｎ）のレーベル面を目視確認しながら、当該光ディスクＤＣ１（ＤＣ２〜ＤＣｎ）が保持されている保持トレイ８１（８２〜８ｎ）に応じたタッチセンサ９１（９２〜９ｎ）を触れることにより、当該タッチセンサ９１（９２〜９ｎ）に対応するパイロットランプ１０１（１０２〜１０ｎ）が点灯すると共に、光学ブロック部４が待機位置から指定された保持トレイ８１（８２〜８ｎ）までスライド移動しながら位置決めされた後、この保持トレイ８１（８２〜８ｎ）に保持されている光ディスクＤＣ１（ＤＣ２〜ＤＣｎ）を再生するようになされている。
【００２２】
（１−２）光ディスク再生装置１の内部構成
図１（Ａ）との対応部分に同一符号を付して示す図２において、この光ディスク再生装置１では、再生時、システム全体の制御を司るシステムコントローラ２０は、タッチセンサ９１〜９ｎを介してユーザから指示を受けると、光学系駆動部２１を制御して光学ブロック部４を矢印ａで示す方向又はこれと逆方向に移動させながら、ユーザが指定した光ディスクＤＣ１（ＤＣ２〜ＤＣｎ）に位置決めした後、当該光ディスクＤＣ１（ＤＣ２〜ＤＣｎ）を所定速度で回転駆動させると共に、光学ピックアップ６から照射させた光ビームＬ１のビームスポット（以下、これを単にビームスポットと呼ぶ）を光ディスクＤＣ１（ＤＣ２〜ＤＣｎ）のデータトラックに沿って径方向へ移動させ、かつトラッキング制御及びフォーカス制御を行わせる。
【００２３】
システムコントローラ２０は、バス２２を介してサーボプロセッサ２３、復調回路２４、信号処理回路２５及びＬＥＤドライバ２６に接続されており、これら各回路２３〜２６を必要に応じて制御して各種動作を実行させ得ると共に、必要に応じて各種データを例えばＲＡＭ（Random Access Memory）等からなる記憶メモリＭ１に記憶するようになされている。またシステムコントローラ２０は、検出回路２７を介して各タッチセンサ９１（９２〜９ｎ）からの検知結果を受けるようになされている。
【００２４】
システムコントローラ２０は、ユーザによってタッチセンサ９１（９２〜９ｎ）の検知結果を受け取ると、ＬＥＤドライバ２６を制御して当該タッチセンサ９１（９２〜９ｎ）に対応するパイロットランプ１０１（１０２〜１０ｎ）を選択的に点灯させると共に、光学駆動部２１を制御して、光学ブロック部４を矢印ａ方向又はこれと逆方向にスライド移動させながら、当該タッチセンサ９１（９２〜９ｎ）に対応する保持トレイ８１（８２〜８ｎ）に保持されている光ディスクＤＣ１（ＤＣ２〜ＤＣｎ）に位置決めさせる。
【００２５】
光学ブロック部４内の光学ピックアップ６は、レーザダイオード、コリメータレンズ、対物レンズ及び受光素子等の光学系デバイス（図示せず）と、レーザダイオードドライバ等の電気系デバイス（図示せず）とを有し、システムコントローラ２０がサーボプロセッサ２３を介してレーザダイオードを駆動することにより光ビームＬ１を光ディスクＤＣ１（ＤＣ２〜ＤＣｎ）に向けて発射させる。
【００２６】
この結果この光ビームＬ１が光ディスクＤＣ１（ＤＣ２〜ＤＣｎ）の記録面において反射し、その反射光Ｌ２に基づき得られるＲＦ信号Ｓ１が光学ピックアップ６からサーボアンプ２８に与えられる。サーボアンプ２８は、入力されたＲＦ信号Ｓ１に基づいて、当該ＲＦ信号Ｓ１を２値化した２値化信号Ｓ２を復調回路２４に送出すると共に、トラッキングエラー信号Ｓ３及びフォーカスエラー信号Ｓ４を生成してサーボプロセッサ２３に送出する。
【００２７】
サーボプロセッサ２３は、トラッキングエラー信号Ｓ３に基づいてトラッキングドライブ信号Ｓ５を生成して増幅器２９を介して光学ピックアップ６内のトラッキングアクチュエータ（図示せず）を駆動することによりトラッキング制御を行う。またサーボプロセッサ２３は、フォーカスエラー信号Ｓ４に基づいてフォーカスドライブ信号Ｓ６を生成して増幅器３０を介して光学ピックアップ６内のフォーカスアクチュエータ（図示せず）を駆動することによりフォーカス制御を行う。
【００２８】
さらにサーボプロセッサ２３は、トラッキングエラー信号Ｓ３の低域周波数成分を抽出することによりスレッドドライブ信号Ｓ７を生成して増幅器３１を介してステッピングモータ７を駆動することにより、リードスクリュー３２を回転させながら、光ディスクＤＣ１（ＤＣ２〜ＤＣｎ）上のビームスポットを光ディスクＤＣ１（ＤＣ２〜ＤＣｎ）の記録面に形成されたデータトラック（プリグルーブ又はランド）に沿って当該光ディスクＤＣ１（ＤＣ２〜ＤＣｎ）の径方向に移動させる。
【００２９】
一方、復調回路２４は、供給される２値化信号Ｓ２に基づいてスピンドルエラー信号Ｓ８を生成して増幅器３３を介してスピンドルモータ５を制御することにより、光ディスクＤＣ１（ＤＣ２〜ＤＣｎ）を所定速度で回転駆動する。
【００３０】
また復調回路２４は、供給される２値化信号Ｓ２をデコード処理することにより、光ディスクＤＣ１（ＤＣ２〜ＤＣｎ）におけるそのときのビームスポットの絶対番地を検出し、これをシステムコントローラ２０に送出する。すなわち復調回路２４は、２値化信号Ｓ２をその内部に設けられた所定の帯域周波数成分を通過範囲とするバンドパスフィルタ回路（図示せず）を通すことにより当該２値化信号Ｓ２に含まれるウォブル成分を抽出すると共に、当該ウォブル成分にＦＭ復調処理を施すことによりそのときビームスポットが位置している光ディスクＤＣ１（ＤＣ２〜ＤＣｎ）上の絶対番地を検出し、これをセクタアドレス情報Ｓ９としてシステムコントローラ２０に送出する。
【００３１】
また復調回路２４は、上述のようなデコード処理により得られる光ディスクＤＣ１（ＤＣ２〜ＤＣｎ）上での絶対番地が変化するごとに（すなわち光ディスクＤＣ１（ＤＣ２〜ＤＣｎ）におけるビームスポットが走査するセクタが変わるごとに）、これを知らせるシンク割込信号Ｓ１０をシステムコントローラ２０に送出する。
【００３２】
かくしてシステムコントローラ２０は、復調回路２４から与えられるこれらアドレス情報信号Ｓ９及びシンク割込信号Ｓ１０に基づいて、光ディスクＤＣ１（ＤＣ２〜ＤＣｎ）におけるそのときの再生位置を順次認識し、当該認識結果に基づいて光ディスクＤＣ１（ＤＣ２〜ＤＣｎ）から正しく再生し得るように、必要な制御処理を実行する。
【００３３】
さらに復調回路２４は、供給される２値化信号Ｓ２をデコード処理することにより、光ディスクＤＣ１（ＤＣ２〜ＤＣｎ）に記録されている映像及び音声等のコンテンツを表す復調データＳ１１を得て、信号処理回路２５に送出する。
【００３４】
信号処理回路は、復調データＳ１１に基づいて、記録前の元のフォーマットでなるディジタル音声データＤ１を生成した後、当該ディジタル音声データＤ１をアナログ変換して得られるアナログ音声信号Ｓ１２をアンプ３４を介してスピーカ３５に送出する。
【００３５】
（２）ディスク選択処理手順
本実施の形態による光ディスク再生装置１では、システムコントローラ２０は、複数の光ディスクＤＣ１〜ＤＣｎをそれぞれ保持する保持トレイ８１〜８ｎと、当該保持トレイ８１〜８ｎに対応するタッチセンサ９１〜９ｎ及びパイロットランプ１０１〜１０ｎとには、同一のアドレスが順次割り当てられており、ユーザが触れたタッチセンサから検出回路を介して検知結果が与えられると、光学駆動部を制御して、当該タッチセンサ９１〜９ｎのアドレスと同一のアドレスに位置する保持トレイ８１〜８ｎに光学ブロック部４を移動させるようになされている。
【００３６】
実際にこの光ディスク再生装置１では、ユーザが電源オン状態にセットすると、システムコントローラ２０は、図３に示すディスク選択処理手順ＲＴ１をステップＳＰ０から開始し、続くステップＳＰ１において、ユーザが複数の光ディスクＤＣ１〜ＤＣｎのレーベル面を目視確認しながら所望の光ディスクＤＣ１〜ＤＣｎに見当をつけて当該光ディスクＤＣ１〜ＤＣｎの近傍にあるタッチセンサ９１〜９ｎに触れるのを待つ（図４（Ａ））。
【００３７】
続いてユーザがタッチセンサ９ｎ−１に触れると、システムコントローラ２０は、ステップＳＰ２に進んで、当該タッチセンサ９ｎ−１に対応するパイロットランプ１０ｎ−１を点灯させると共に、待機位置にある光学ブロック部４を当該待機位置から選択された光ディスクＤＣｎ−１を保持する保持トレイ８ｎ−１までスライド移動させる（図４（Ｂ））。
【００３８】
次にシステムコントローラ２０は、ステップＳＰ３に進んで、かかる保持トレイ８ｎ−１に保持されている光ディスクＤＣｎ−１に対して光学ピックアップ６を位置決めしながら各種データを再生すると共に、当該再生した光ディスクＤＣｎ−１を保持する保持トレイ８ｎ−１に割り当てられたアドレスを記憶メモリＭ１に格納する。
【００３９】
やがてシステムコントローラ２０は、ステップＳＰ４に進んで、当該光ディスクの再生動作が終了するのを待った後、ステップＳＰ５において、記憶メモリＭ１に格納されている全てのアドレスに基づいて、過去の所定期間内にどのアドレスがアクセスされたかの履歴を検索することにより、最も頻度が高いアドレスを求める。
【００４０】
続いてシステムコントローラ２０は、最も頻度が高いアドレスに位置する保持トレイ８１〜８ｎに光学ブロック部４を移動させて、次にユーザからの操作を受けるまで常駐しておきながら、再度ステップＳＰ１に戻って、ユーザによって電源オフ状態にセットされるまで上述と同様の処理を繰り返す。
【００４１】
このように光ディスク再生装置１では、それぞれレーベル面が露出するように配列された複数の光ディスクＤＣ１〜ＤＣｎの中から、ユーザが所望の光ディスクＤＣ１〜ＤＣｎの近傍に設けられたタッチセンサ９１〜９ｎに触れるだけで、当該光ディスクＤＣ１〜ＤＣｎを保持する保持トレイ８１〜８ｎまで光学ブロック部４を移動させて再生動作を行うことができる。
【００４２】
（３）本実施の形態による動作及び効果
以上の構成において、この光ディスク再生装置１では、筐体２の表面上の収納保持部３において所定間隔で１列に並んで配列された複数の保持トレイ８１〜８ｎに、ユーザが予めレーベル面を露出させた状態でそれぞれ光ディスクＤＣ１〜ＤＣｎを収納しておく。
【００４３】
従ってユーザが所望の光ディスクＤＣｋ（ｋは１〜ｎのうちの任意の自然数）を対応するレーベル面を目視確認するだけで決定することができ、従来の複数の光ディスクが積層収納された場合のような各光ディスクが何のレーベルであってどの位置に収納されているのかを認識しておく手間を省くことができる。
【００４４】
続いてユーザがこれら複数の光ディスクＤＣ１〜ＤＣｎのレーベル面を目視確認しながら、所望の光ディスクＤＣｋの近傍に設けられたタッチセンサ９ｋを触れると、当該タッチセンサ９ｋに対応するパイロットランプ１０ｋを点灯させると共に、光学ブロック部４をその光ディスクＤＣｋを保持する保持トレイ８ｋまで移動させて再生動作を実行する。
【００４５】
これによりユーザが所望の光ディスクＤＣｋを選択するにあたって、当該光ディスクＤＣｋのレーベル面を目視するだけで直感的に何のレーベルであるかを認識することができると共に、ユーザが見当をつけた光ディスクＤＣｋの近傍に触れるだけで再生動作を実行させることができ、この結果、従来のような各光ディスクの収納位置に割り当てられている収納番号を目視確認した後に当該収納番号に対応する操作ボタンを押下する手法と比較して、格段と操作性を向上することができる。
【００４６】
さらに現在再生中の光ディスクＤＣｋについて、対応する保持トレイ８ｋに割り当てられたアドレスを記憶しておき、かかる光ディスクＤＣｋの再生が終了した後に、過去の所定期間内におけるアクセス頻度が最も高いアドレスを求めて、当該アドレスに対応する保持トレイ８１〜８ｎまで光学ブロック部４を移動させて常駐しておくようにしたことにより、次にユーザが所望の光ディスクＤＣｋを選択した際に最も可能性の高い位置に既に光学ブロック部４を移動させておくことができ、当該光ディスクＤＣｋの再生動作を開始するまでに要する時間を短縮することができる。
【００４７】
以上の構成によれば、この光ディスク再生装置１において、筐体２の表面上に所定間隔で１列に並んで複数の保持トレイ８１〜８ｎをそれぞれ光ディスクＤＣ１〜ＤＣｎを収納した状態で配列しておき、ユーザが所望の光ディスクＤＣｋをそのレーベル面の目視確認により決定して、当該光ディスクＤＣｋに対応するタッチセンサ９ｋを触れたときに、光学ブロック部４をその光ディスクＤＣｋを保持する保持トレイ８ｋまで移動させて再生動作を実行するようにしたことにより、ユーザが各光ディスクＤＣ１〜ＤＣｎのレーベル面を目視するだけで直感的に所望のレーベルの光ディスクＤＣｋを見当することができると共に、当該光ディスクＤＣｋの近傍に触れるだけで再生動作を実行させることができ、かくして使い勝手を格段と向上し得る光ディスク再生装置１を実現できる。
【００４８】
（４）他の実施の形態
なお上述のように本実施の形態においては、複数の光ディスク（ディスク状記録媒体）ＤＣ１〜ＤＣｎのうち選択された光ディスク（ディスク状記録媒体）ＤＣｋを光学ブロック部（再生手段）４を用いて再生する光ディスク再生装置（ディスク再生装置）１を、図１及び図２に示すような構成のものにした場合について述べたが、本発明はこれに限らず、基本的に平坦な構造でなるため、自動車内の平面部分に貼り付けるように搭載したり、室内で壁掛けとして搭載したりするようにしても良く、この他種々の構成からなるディスク再生装置に広く適用するようにしても良い。
【００４９】
また上述のように本実施の形態においては、複数の光ディスク（ディスク状記録媒体）ＤＣ１〜ＤＣｎをそれぞれレーベル面（一面）が露出するように所定の配列状態で収納する収納手段として、複数の保持トレイ８１〜８ｎが一列で配列されてなる収納保持部３を適用するようにした場合について述べたが、本発明はこれに限らず、一列であっても曲線に沿って一続きに配列するようにしても良い。要は、全ての光ディスク（ディスク状記録媒体）ＤＣ１〜ＤＣｎのレーベル面が露出されていれば、複数の光ディスクを環状に配列して収納保持するようにしても良い。
【００５０】
例えば図１との対応部分に同一符号を付して示す図５のように、略多角形状の筐体４１の表面上に、複数の光ディスクＤＣ１〜ＤＣ５を環状に配列して収納保持するようになされた収納保持部４２を有する光ディスク再生装置４０においては、収納保持部４２における所定の収納位置を待機位置として、各光ディスクＤＣ１〜ＤＣ５を再生するための光学ブロック部４が矢印ｂ方向又はこれと逆方向に回転軸ＡＸを中心として回転自在に移動し得るようになされている。
【００５１】
この収納保持部４２には、各光ディスクＤＣ１〜ＤＣ５をレーベル面が露出するように装脱自在に保持するための保持トレイ４３１〜４３５が一定間隔で順次形成されると共に、各保持トレイ４３１〜４３５の近傍にはそれぞれタッチセンサ９１〜９５及びパイロットランプ１０１〜１０５が設けられている。
【００５２】
かかる光ディスク再生装置４０では、ユーザが所望の光ディスクＤＣ３のレーベル面を目視確認しながら、当該光ディスクＤＣ３が保持されている保持トレイ４３３に応じたタッチセンサ９３を触れることにより、当該タッチセンサ９３に対応するパイロットランプ１０３が点灯すると共に、光学ブロック部４が待機位置から指定された保持トレイ８３まで回転移動しながら位置決めされた後、この保持トレイ４３３に保持されている光ディスクＤＣ３を再生する。このようにしても図１に示す光ディスク再生装置１と同様の作用効果を得ることができる。
【００５３】
さらに上述のように本実施の形態においては、各光ディスク（ディスク状記録媒体）ＤＣ１〜ＤＣｎの収納位置にそれぞれ設けられ、外部からの指示に応じて対応する光ディスク（ディスク状記録媒体）ＤＣ１〜ＤＣｎが選択されたことを検知するセンサ手段として、タッチセンサ９１〜９ｎを適用するようにした場合について述べたが、本発明はこれに限らず、ユーザの接触に応じて検知する手段以外にも、ユーザの指示に応じて光ディスク（ディスク状記録媒体）ＤＣ１〜ＤＣｎを選択することができれば、この他種々のセンサ手段に広く適用するようにしても良い。
【００５４】
例えば、各光ディスク（ディスク状記録媒体）ＤＣ１〜ＤＣｎの収納位置にそれぞれ光検知部（図示せず）を設けておき、リモートコントローラ（図示せず）に搭載したレーザポインタ等の発光素子を用いて直接指示するようにして、ユーザが所望する光ディスク（ディスク状記録媒体）ＤＣ１〜ＤＣｎを選択するようにしても良い。このような手法を採用すれば、直感的な操作が可能となり、単一のボタンを用いて全ての光ディスク（ディスク状記録媒体）ＤＣ１〜ＤＣｎを選択することができるという利点がある。
【００５５】
またリモートコントローラ（図示せず）に３次元ジャイロセンサを搭載しておき、ユーザがリモートコントローラを左右に動かすことにより、所望の光ディスクの近傍に設けられたパイロットランプ１０１〜１０ｎを順次点灯させるようにして、ユーザが所望する光ディスク（ディスク状記録媒体）ＤＣ１〜ＤＣｎに対応するパイロットランプ１０１〜１０ｎが点灯しているときに所定のボタンを押下することにより、当該光ディスク（ディスク状記録媒体）ＤＣ１〜ＤＣｎを選択するようにしても良い。このような手法を採用すれば、直感的な操作が可能となり、単一のボタンを用いて全ての光ディスク（ディスク状記録媒体）ＤＣ１〜ＤＣｎを選択することができるという利点がある。
【００５６】
さらに上述のように本実施の形態においては、再生手段としての光学ブロック部４は、タッチセンサ（センサ手段）９１〜９ｎの検知結果に基づいて、光学ブロック部４を、システムコントローラ２０の制御のもとで光学系駆動部（移動手段）２１を用いてレールＲＬ上をスライド移動させるようにして、対応する保持トレイ（収納位置）８１〜８ｎに収納されている光ディスク（ディスク状記録媒体）ＤＣ１〜ＤＣｎを再生するようにした場合について述べたが、本発明はこれに限らず、要は選択された光ディスクを再生することができれば、どのような手法を用いても良い。実際上、作業効率を考慮すると再生手段を移動させた方が良いため、基本的に再生手段のみを移動させる手法を用いる方が良い。
【００５７】
さらに上述のように本実施の形態においては、タッチセンサ（センサ手段）９１〜９ｎの検知結果を順次記憶する記憶メモリ（記憶手段）Ｍ１と、記憶メモリ（記憶手段）Ｍ１から読み出した検知結果に基づいて、所定期間内において選択された頻度が最も高い光ディスク（ディスク状記録媒体）ＤＣ１〜ＤＣｎを検出するシステムコントローラ（頻度検出手段）２０とを設け、光学系駆動部（移動手段）２１は、再生手段による再生が終了した後、当該光学ブロック部（再生手段）４をシステムコントローラ（頻度検出手段）２０により検出された光ディスク（ディスク状記録媒体）ＤＣ１〜ＤＣｎの収納位置に移動させるようにした場合について述べたが、本発明はこれに限らず、光ディスク（ディスク状記録媒体）ＤＣ１〜ＤＣｎの再生動作を開始するまでに要する時間を短縮することができれば、この他にも検知結果の履歴情報に基づく種々の手法を採用するようにしても良い。
【産業上の利用可能性】
【００５８】
再生装置及び再生方法において、車両用や室内用の平坦な場所に搭載するようになされた光ディスク再生装置等に適用することができる。
【図面の簡単な説明】
【００５９】
【図１】本実施の形態による光ディスク再生装置の外観構成を示すブロック図である。
【図２】図１に示す光ディスク再生装置の内部成を構成を示すブロック図である。
【図３】光ディスクの選択処理の説明に供する平面的な略線図である。
【図４】ディスク選択処理手順の説明に供するフローチャートである。
【図５】他の実施の形態による光ディスク再生装置の外観構成を示すブロック図である。
【符号の説明】
【００６０】
１、４０……光ディスク再生装置、３……収納保持部、４……光学ブロック部、６……光学ピックアップ、８１〜８ｎ……保持トレイ、９１〜９ｎ……タッチセンサ、１０１〜１０ｎ……パイロットランプ、２０……システムコントローラ、２１……光学系駆動部、２３……サーボプロセッサ、２６……ＬＥＤドライバ、２７……検出回路、ＤＣ１〜ＤＣｎ……光ディスク、ＲＴ１……ディスク選択処理手順。
【図１】
2005182865.tif 000003
【図２】
2005182865.tif 000004
【図３】
2005182865.tif 000005
【図４】
2005182865.tif 000006
【図５】
2005182865.tif 000007